(57)【要約】【課題】コストおよび強度の双方で優れた照明器具を提供する。【解決手段】照明器具（１００）は、光源（１１０）と、アーム（１２０）と、枠部（１３０）とを備える。アーム（１２０）は、光源（１１０）を保持する。枠部（１３０）は、アーム（１２０）を支持する。枠部（１３０）は、第１枠体（１３２）と、第２枠体（１３４）とを有する。第１枠体（１３２）は樹脂を含む。第２枠体（１３４）は金属を含む。第２枠体（１３４）は、第１枠体（１３２）の内側または外側に配置される。【選択図】図１
2019192572.tif 000002
【特許請求の範囲】
【請求項１】
光源と、
前記光源を保持するアームと、
前記アームを支持する枠部と
を備え、
前記枠部は、
樹脂を含む第１枠体と、
前記第１枠体の内側または外側に配置され、金属を含む第２枠体と
を有する、照明器具。
【請求項２】
前記第１枠体には、前記アームの回動範囲を規制する凹部が設けられる、請求項１に記載の照明器具。
【請求項３】
前記アームを前記枠部に取り付ける固定部をさらに備える、請求項１または２に記載の照明器具。
【請求項４】
前記固定部は、ボルトおよびナットを含む、請求項３に記載の照明器具。
【請求項５】
前記ボルトは、前記アームと接触し、
前記ナットは、前記第２枠体と接触する、請求項４に記載の照明器具。
【発明の詳細な説明】
【技術分野】
【０００１】
本発明は、照明器具に関する。
【背景技術】
【０００２】
照明器具の一種として、灯具が枠部に対して回動可能な照明器具が知られている（特許文献１）。特許文献１の照明器具では、灯具の取り付けられたアーム部が枠部に対して回動可能に取り付けられるため、灯具は枠部に対して回動できる。
【先行技術文献】
【特許文献】
【０００３】
【特許文献１】特開２０１０−１０１２３号公報
【発明の概要】
【発明が解決しようとする課題】
【０００４】
しかしながら、特許文献１の照明器具では、枠部を金属で形成する場合、枠部の製造コストが増大してしまう。一方、枠部を樹脂で形成すると、製造コストを抑制できるものの、充分な強度を得られないことがあった。特に、アーム部が枠部に対して回動すると、アーム部の回動に伴って枠部が摩耗してしまうことがあった。
【０００５】
本発明は、上記課題に鑑みてなされたものであり、その目的は、コストおよび強度の双方で優れた照明器具を提供することである。
【課題を解決するための手段】
【０００６】
本発明による照明器具は、光源と、アームと、枠部とを備える。前記アームは、前記光源を保持する。前記枠部は、前記アームを支持する。前記枠部は、第１枠体と、第２枠体とを有する。前記第１枠体は、樹脂を含む。前記第２枠体は、前記第１枠体の内側または外側に配置され、金属を含む。
【０００７】
ある実施形態において、前記第１枠体には、前記アームの回動範囲を規制する凹部が設けられる。
【０００８】
ある実施形態において、前記照明器具は、前記アームを前記枠部に取り付ける固定部をさらに備える。
【０００９】
ある実施形態において、前記固定部は、ボルトおよびナットを含む。
【００１０】
ある実施形態において、前記ボルトは、前記アームと接触し、前記ナットは、前記第２枠体と接触する。
【発明の効果】
【００１１】
本発明によれば、コストおよび強度の双方で優れた照明器具を提供できる。
【図面の簡単な説明】
【００１２】
【図１】本実施形態の照明器具の模式的な断面図である。
【図２Ａ】本実施形態の照明器具の模式的な斜視図である。
【図２Ｂ】本実施形態の照明器具の模式的な斜視図である。
【図３】本実施形態の照明器具の模式的な分解斜視図である。
【図４Ａ】本実施形態の照明器具の模式的な分解斜視図である。
【図４Ｂ】本実施形態の照明器具の模式的な分解斜視図である。
【図５】本実施形態の照明器具の模式的な断面図である。
【図６Ａ】本実施形態の照明器具の模式的な斜視図である。
【図６Ｂ】本実施形態の照明器具の模式的な斜視図である。
【図７Ａ】本実施形態の照明器具の模式的な分解斜視図である。
【図７Ｂ】本実施形態の照明器具の模式的な分解斜視図である。
【発明を実施するための形態】
【００１３】
以下、図面を参照して、本発明による照明器具の実施形態を説明する。図中、同一または相当部分については同一の参照符号を付して説明を繰り返さない。なお、本願明細書では、発明の理解を容易にするため、互いに直交するＸ方向、Ｙ方向およびＺ方向を参照して説明することがある。例えば、Ｘ方向およびＹ方向は水平方向に平行であり、Ｚ方向は鉛直方向に平行である。ただし、Ｘ方向およびＹ方向は水平方向以外の方向に平行であってもよく、Ｚ方向は鉛直方向以外の方向に平行であってもよい。
【００１４】
図１を参照して、本実施形態の照明器具１００を説明する。図１は、照明器具１００の模式的な断面図である。照明器具１００は、光源１１０と、アーム１２０と、枠部１３０とを備える。
【００１５】
光源１１０は、光を出射する。ここでは、光源１１０は、−Ｚ方向に向かって光を出射する。光源１１０の光軸ＬＡはＺ方向に平行である。例えば、光源１１０は、発光ダイオード（Ｌｉｇｈｔ  Ｅｍｉｔｔｉｎｇ  Ｄｉｏｄｅ：ＬＥＤ）を備える電球である。あるいは、光源１１０は、白熱電球または蛍光灯であってもよい。
【００１６】
アーム１２０は、光源１１０を保持する。ここでは、アーム１２０は、光源１１０が−Ｚ方向に向くように光源１１０を保持する。アーム１２０は、枠部１３０の側面に固定される。
【００１７】
例えば、アーム１２０は、細長い板状部材から形成される。アーム１２０は、光源１１０のＹ方向側方およびＺ方向上方に位置する。アーム１２０の両端は枠部１３０と連絡する。例えば、アーム１２０は、板状部材を折り曲げることによって形成される。
【００１８】
枠部１３０は、アーム１２０を支持する。枠部１３０には貫通孔が設けられる。光源１１０から出射された光は、枠部１３０の貫通孔を通過する。
【００１９】
枠部１３０は、貫通孔の設けられた略筒形状である。例えば、枠部１３０は略円筒形状である。光源１１０は、枠部１３０の上方に配置される。光源１１０から出射された光は、枠部１３０の貫通孔の一端の開口から貫通孔内に進入し、貫通孔を通過して、枠部１３０の貫通孔の他端の開口から進出する。
【００２０】
本実施形態の照明器具１００では、枠部１３０は、第１枠体１３２と、第２枠体１３４とを有する。第１枠体１３２は、樹脂を含む。第２枠体１３４は、金属を含む。ここでは、第２枠体１３４は、第１枠体１３２の内側に配置される。
【００２１】
例えば、第１枠体１３２は、樹脂から構成される。第１枠体１３２には貫通孔が設けられる。第１枠体１３２の貫通孔の中心は、光源１１０の光軸ＬＡと平行である。第１枠体１３２は、貫通孔の設けられた略筒形状である。例えば、第１枠体１３２は略円筒形状である。
【００２２】
例えば、第２枠体１３４は、金属から構成される。第２枠体１３４には貫通孔が設けられる。第２枠体１３４の貫通孔の中心は、光源１１０の光軸ＬＡと平行である。第２枠体１３４は、貫通孔の設けられた略筒形状である。例えば、第２枠体１３４は略円筒形状である。
【００２３】
本実施形態の照明器具１００では、枠部１３０は、樹脂を含む第１枠体１３２と、金属を含む第２枠体１３４とを有し、第１枠体１３２および第２枠体１３４のうちの一方は他方に対して内側に配置される。第１枠体１３２が樹脂を含むため、比較的低コストで枠部１３０を製造できる。また、第２枠体１３４が金属を含むため、枠部１３０の強度を比較的高くできる。このため、コストおよび強度の双方で優れた照明器具１００を実現できる。
【００２４】
図１に示した照明器具１００では、第１枠体１３２は、第２枠体１３４の外側に配置されるため、枠部１３０の外周面は第１枠体１３２によって形成され、枠部１３０の内周面は第２枠体１３４によって形成される。第１枠体１３２の外径は、第２枠体１３４の外径よりも大きい。なお、第１枠体１３２の内径は、第２枠体１３４の外径よりも大きくてもよく、第２枠体１３４の外径とほぼ等しくてもよい。
【００２５】
第２枠体１３４は第１枠体１３２よりも内側に位置する。このため、第２枠体１３４の内周面は、光源１１０から出射された光に対する反射面として機能する。一方、第１枠体１３２の内周面は、光源１１０から出射された光に対する反射面として機能しない。典型的には、第２枠体１３４の反射率は第１枠体１３２の反射率よりも高いため、枠部１３０は、光源１１０から出射された光を効率的に伝搬できる。
【００２６】
上述したように、アーム１２０は光源１１０を保持する。アーム１２０にはソケット１１０ｓが取り付けられる。光源１１０は、アーム１２０のソケット１１０ｓに取り付けられる。ソケット１１０ｓの光源設置部は−Ｚ方向を向く。光源１１０は、−Ｚ方向から＋Ｚ方向に向かうように移動させてソケット１１０ｓに取り付けられる。
【００２７】
ソケット１１０ｓは、固定部材１１０ｔによってアーム１２０に固定される。固定部材１１０ｔは、ビスまたはリベットを含む。または、固定部材１１０ｔは、ボルトおよびナットを含んでもよい。
【００２８】
照明器具１００は、反射部材１４０をさらに備えることが好ましい。反射部材１４０は、光源１１０から−Ｚ方向に向けて出射された光が光源１１０に向かって戻ることを抑制する。
【００２９】
反射部材１４０には貫通孔が設けられる。反射部材１４０の貫通孔の一端は第１開口１４０ａであり、貫通孔の他端は第２開口１４０ｂである。第１開口１４０ａは、＋Ｚ方向側（光源１１０側）に位置し、第２開口１４０ｂは、−Ｚ方向側に位置する。光源１１０から出射された光は、第１開口１４０ａから進入し、貫通孔を通過して、第２開口１４０ｂから進出する。第１開口１４０ａおよび第２開口１４０ｂの各々は略円形状である。第１開口１４０ａの中心および第２開口１４０ｂの中心は、光源１１０の光軸ＬＡ上に位置する。
【００３０】
例えば、反射部材１４０は、樹脂から形成される。光源１１０から出射された光を効率的に反射するために、少なくとも反射部材１４０の内面は、反射加工されていることが好ましい。反射加工は、例えば、白色塗装、銀色塗装、または、光沢のある金属メッキ加工を含む。あるいは、反射部材１４０の色は、白色または銀色のような光反射率の高い色彩であってもよい。また、反射部材１４０は、金属から形成されてもよい。
【００３１】
反射部材１４０は、筒部１４２と、鍔部１４４とを含む。筒部１４２には、貫通孔が設けられる。筒部１４２の貫通孔の中心は光源１１０の光軸ＬＡと平行である。筒部１４２の内周面の直径は、光源１１０から離れるのにしたがって漸次大きくなる。例えば、筒部１４２は略円錐台状である。
【００３２】
第１開口１４０ａは、筒部１４２の上端に形成される。筒部１４２の上端は、第２枠体１３４の内周底面よりも上側（＋Ｚ方向側）に位置する。このため、第２枠体１３４の底面から筒部１４２は突起しており、第２枠体１３４の貫通孔は筒部１４２の貫通孔と連絡する。
【００３３】
鍔部１４４は、筒部１４２の下端（−Ｚ方向側の端部）の周囲を囲む。例えば、鍔部１４４は、筒部１４２と接続して筒部１４２から径方向外側に延びる。
【００３４】
なお、反射部材１４０は枠部１３０と連結してもよい。ここでは、反射部材１４０は、第１枠体１３２と一体的に設けられる。
【００３５】
また、照明器具１００は、カバー部材１５０をさらに備えることが好ましい。カバー部材１５０は、アーム１２０に連結される。カバー部材１５０は、光源１１０の−Ｘ方向側の側部を覆う。Ｚ軸方向に沿って平面視した場合、カバー部材１５０は半円形状である。
【００３６】
なお、枠部１３０の外径は、光源１１０の外径およびアーム１２０の外径よりも大きい。また、鍔部１４４の外径は、光源１１０の外径およびアーム１２０の外径よりも大きい。さらに、鍔部１４４の外径は、枠部１３０の外径よりも大きい。
【００３７】
次に、図２Ａおよび図２Ｂを参照して本実施形態の照明器具１００の構成を説明する。図２Ａおよび図２Ｂは、本実施形態の照明器具１００の模式的な斜視図である。図２Ａは、照明器具１００を斜め下方から視た斜視図であり、図２Ｂは、照明器具１００を斜め上方から視た斜視図である。
【００３８】
上述したように、枠部１３０は、アーム１２０を支持する。アーム１２０は、枠部１３０の側面に固定される。固定部１３０ａは、アーム１２０を枠部１３０の側面に固定する。
【００３９】
ここでは、アーム１２０は枠部１３０の外周面に固定される。この場合、固定部１３０ａは、アーム１２０の一部が枠部１３０の外周面に接触した状態でアーム１２０を枠部１３０の外周面に固定する。例えば、固定部１３０ａは、ボルトおよびナットを含む。または、固定部１３０ａは、ビスまたはリベットを含んでもよい。
【００４０】
例えば、固定部１３０ａがボルト、ビスまたはリベットを含む場合、アーム１２０に貫通孔が設けられ、枠部１３０の側部に貫通孔が設けられる。アーム１２０の貫通孔および枠部１３０の貫通孔の大きさはほぼ等しい。なお、枠部１３０の貫通孔にはネジ溝が切られていてもよい。枠部１３０の貫通孔がアーム１２０の貫通孔と整合するように枠部１３０に対してアーム１２０を位置合わせする。この状態で、ボルト、ビスまたはリベットを枠部１３０の貫通孔およびアーム１２０の貫通孔に挿入してアーム１２０を枠部１３０の側面に固定する。
【００４１】
枠部１３０において第１枠体１３２が第２枠体１３４の外側に配置される場合、アーム１２０は、第１枠体１３２に固定される。なお、固定部１３０ａは、第１枠体１３２および第２枠体１３４を固定してもよい。この場合、固定部１３０ａは、アーム１２０、第１枠体１３２および第２枠体１３４を固定する。
【００４２】
第１枠体１３２の側部に貫通孔が設けられ、第２枠体１３４の側部に貫通孔が設けられる。第１枠体１３２の貫通孔および第２枠体１３４の貫通孔の大きさはほぼ等しい。第１枠体１３２の貫通孔が第２枠体１３４の貫通孔と整合するように位置合わせし、さらに、アーム１２０の貫通孔を第１枠体１３２の貫通孔および第２枠体１３４の貫通孔に整合するようにアーム１２０、第１枠体１３２および第２枠体１３４を位置合わせする。この状態で、ボルト、ビスまたはリベットをアーム１２０の貫通孔、第１枠体１３２の貫通孔および第２枠体１３４の貫通孔に挿入して、アーム１２０を第１枠体１３２および第２枠体１３４の側面に固定する。
【００４３】
なお、固定部１３０ａは、アーム１２０および枠部１３０をかしめて形成されてもよい。または、固定部１３０ａは接着剤であってもよい。例えば、アーム１２０を枠部１３０の外周面に固定する場合、枠部１３０の外周面とアーム１２０の内側面との間に接着剤を付着する。または、固定部１３０ａは、アーム１２０および枠部１３０を溶着させて形成されてもよい。
【００４４】
例えば、固定部１３０ａは、ボルト１３０ｂおよびナット１３０ｃを含む。ナット１３０ｃがボルト１３０ｂを締めることにより、アーム１２０が枠部１３０に固定される。
【００４５】
アーム１２０は、直線部１２０ａと、連絡部１２０ｂと、直線部１２０ｃとを有する。直線部１２０ａは、枠部１３０から＋Ｚ方向に延びる。直線部１２０ｃは、枠部１３０から＋Ｚ方向に延びる。連絡部１２０ｂは、直線部１２０ａの端部と直線部１２０ｃの端部との間を連絡する。連絡部１２０ｂは、直線部１２０ａの端部から＋Ｙ方向かつ＋Ｚ方向に延びた後、＋Ｙ方向に平行に進み、その後、＋Ｙ方向かつ−Ｚ方向に延びて直線部１２０ｃの端部と連絡する。
【００４６】
ソケット１１０ｓは、連絡部１２０ｂに取り付けられる。連絡部１２０ｂには貫通孔が設けられる。固定部材１１０ｔは、ソケット１１０ｓをアーム１２０の連絡部１２０ｂに固定する。
【００４７】
アーム１２０は、枠部１３０に対して回動可能であることが好ましい。ここでは、アーム１２０は、枠部１３０に対してＸ方向に回動可能である。なお、アーム１２０は、枠部１３０に対して、光源１１０の光軸ＬＡがＺ方向とは平行にはならない姿勢まで回動可能である。
【００４８】
上述したように、固定部１３０ａは、アーム１２０および枠部１３０を固定する。アーム１２０は、枠部１３０に対して固定部１３０ａを中心に＋Ｘ方向側に回動可能である。なお、固定部１３０ａがアーム１２０の回動中心になる場合、固定部１３０ａは、ボルトおよびナットを含むことが好ましい。
【００４９】
上述したように、カバー部材１５０は光源１１０に対して−Ｘ方向側の側方を覆う。一方で、光源１１０に対して＋Ｘ方向側の側方にはカバー部材１５０は設けられない。このため、アーム１２０は、カバー部材１５０と衝突することなく枠部１３０に対して回動できる。
【００５０】
図３は、本実施形態の照明器具１００の模式的な分解斜視図である。図３は、照明器具１００を斜め上方から視た分解斜視図である。
【００５１】
アーム１２０の直線部１２０ａは２層構造である。直線部１２０ａは、外側層１２０ｐと内側層１２０ｑとを有する。直線部１２０ａにおいて、外側層１２０ｐは、内側層１２０ｑよりも外側（−Ｙ方向側）に位置する。外側層１２０ｐと内側層１２０ｑとは接触する。外側層１２０ｐと内側層１２０ｑとは、固定部材１２０ｒによって固定される。
【００５２】
外側層１２０ｐのＺ方向の長さは、内側層１２０ｑのＺ方向の長さよりも長い。外側層１２０ｐの上端部（＋Ｚ方向側の端部）は内側層１２０ｑの上端部と整合するが、外側層１２０ｐの下端部（−Ｚ方向側の端部）は内側層１２０ｑの下端部よりも下方に位置する。このため、組み立てられた照明器具１００において、外側層１２０ｐの下端部は、枠部１３０の外周面と接触する。一方、内側層１２０ｑの下端部は、第１枠体１３２の上面に対向するが、第１枠体１３２の上面とは接触しない。
【００５３】
組み立てられた照明器具１００において、外側層１２０ｐの下端部は第１枠体１３２の外周面と接触する。直線部１２０ａの外側層１２０ｐ、第１枠体１３２および第２枠体１３４のそれぞれには貫通孔が設けられる。
【００５４】
ボルト１３０ｂは、アーム１２０の貫通孔、第１枠体１３２の貫通孔、第２枠体１３４の貫通孔を貫通する。ボルト１３０ｂはアーム１２０と接触し、ナット１３０ｃは第２枠体１３４と接触する。
【００５５】
第１枠体１３２の貫通孔が第２枠体１３４の貫通孔と整合するように位置合わせし、さらに、アーム１２０の貫通孔を第１枠体１３２の貫通孔および第２枠体１３４の貫通孔に整合するようにアーム１２０、第１枠体１３２および第２枠体１３４を位置合わせする。この状態で、ボルト１３０ｂをアーム１２０の貫通孔、第１枠体１３２の貫通孔および第２枠体１３４の貫通孔に挿入してボルト１３０ｂにナット１３０ｃを締めて、アーム１２０を第１枠体１３２および第２枠体１３４の側面に固定する。このように、直線部１２０ａの外側層１２０ｐと第１枠体１３２と第２枠体１３４とは、ボルト１３０ｂにナット１３０ｃによって固定される。
【００５６】
一般に、部材の貫通孔にボルトを挿入してボルトにナットを締めた場合、一方側の表面に露出するボルトの大きさは、他方側の表面に露出するナットの大きさよりも大きい。このため、固定部１３０ａがボルト１３０ｂおよびナット１３０ｃを含む場合、光源１１０から出射された光の進行を妨げないように、ボルト１３０ｂをアーム１２０の外側に配置し、ナット１３０ｃを枠部１３０の内周面に配置することが好ましい。
【００５７】
また、一般に、ボルトおよびナットのいずれかが樹脂部材と擦れる場合、樹脂部材がナットと擦れるときの摩耗の程度は、樹脂部材がボルトと擦れるときの摩耗の程度よりも大きい。したがって、金属を含む第２枠体１３４が内側に配置され、樹脂を含む第１枠体１３２が外側に配置される場合、ボルト１３０ｂを枠部１３０の外側に配置し、ナット１３０ｃを枠部１３０の内側に配置することが好ましい。
【００５８】
直線部１２０ｃは、直線部１２０ａと同様に２層構造であるため、ここでは、直線部１２０ｃについての説明は省略する。カバー部材１５０は、直線部１２０ａの外側層１２０ｐおよび直線部１２０ｃの内側層１２０ｑと連絡する。ここでは、カバー部材１５０は、直線部１２０ａおよび直線部１２０ｃの内側層１２０ｑと一体的に設けられる。内側層１２０ｑおよびカバー部材１５０は、薄い板状部材を曲げることによって形成される。
【００５９】
上述したように、第２枠体１３４は略円筒形状である。ただし、Ｚ方向に沿って平面視した場合、第２枠体１３４の側部の一部は直線形状であってもよい。第２枠体１３４は、円弧状部１３４ａと、直線部１３４ｂと、円弧状部１３４ｃと、直線部１３４ｄとを含む。Ｚ方向に沿って平面視した場合、第２枠体１３４の直線部１３４ｂおよび直線部１３４ｄはＸ方向に延びる。
【００６０】
円弧状部１３４ａは円弧状部１３４ｃに対向し、直線部１３４ｂは直線部１３４ｄに対向する。円弧状部１３４ａは、直線部１３４ｂおよび直線部１３４ｄと連絡し、円弧状部１３４ｃは、直線部１３４ｂおよび直線部１３４ｄと連絡する。ここでは、円弧状部１３４ａは＋Ｘ方向側に位置し、直線部１３４ｂは＋Ｙ方向側に位置し、円弧状部１３４ｃは−Ｘ方向側に位置し、直線部１３４ｄは−Ｙ方向側に位置する。
【００６１】
第１枠体１３２の内周面は、第２枠体１３４の外周面と整合するように設けられる。組み立てられた照明器具１００において、第２枠体１３４の直線部１３４ｄは第１枠体１３２を介してアーム１２０の直線部１２０ａと対向する。同様に、第２枠体１３４の直線部１３４ｂは第１枠体１３２を介してアーム１２０の直線部１２０ｃと対向する。
【００６２】
例えば、照明器具１００は以下のように作製される。まず、アーム１２０に、光源１１０およびカバー部材１５０を取り付ける。また、第１枠体１３２および第２枠体１３４から枠部１３０を組み立てる。ここでは、第１枠体１３２の内側に第２枠体１３４を嵌め込む。このとき、第１枠体１３２は反射部材１４０と一体化されているため、一体化した枠部１３０および反射部材１４０が組み立てられる。
【００６３】
次に、枠部１３０にアーム１２０を取り付け、固定部１３０ａがアーム１２０を枠部１３０の側面に固定する。例えば、アーム１２０の貫通孔が第１枠体１３２の貫通孔および第２枠体１３４の貫通孔と重なるように枠部１３０に対してアーム１２０を位置合わせする。その後、ボルト１３０ｂをアーム１２０の貫通孔および枠部１３０の貫通孔に挿入してボルト１３０ｂにナット１３０ｃを締めて、アーム１２０を第１枠体１３２および第２枠体１３４の側面に固定する。このように、アーム１２０の貫通孔を第１枠体１３２および第２枠体１３４の貫通孔に重ねることでアーム１２０および枠部１３０を簡便に位置合わせできる。
【００６４】
図４Ａおよび図４Ｂは、本実施形態の照明器具１００の模式的な分解斜視図である。図４Ａは、照明器具１００を斜め下方から視た分解斜視図であり、図４Ｂは、照明器具１００を斜め上方から視た分解斜視図である。
【００６５】
第１枠体１３２には凹部１３２ａが設けられる。凹部１３２ａは、第１枠体１３２の外周面において部分的に窪んで形成される。ここでは、第１枠体１３２の外周面の対向する位置に２つの凹部１３２ａが設けられる。
【００６６】
凹部１３２ａの設けられた第１枠体１３２は、成形によって形成される。あるいは、第１枠体１３２を成形した後で、加工によって凹部１３２ａを形成してもよい。凹部１３２ａは、アーム１２０の回動範囲を規制する。
【００６７】
アーム１２０の直線部１２０ａは、Ｚ方向に延びる板状部材から形成される。アーム１２０の直線部１２０ａは、第１枠体１３２の凹部１３２ａに配置される。＋Ｙ方向に沿って平面視した場合、凹部１３２ａは非対称形状である。凹部１３２ａは、直線部１３２ｂと、曲線部１３２ｃと、傾斜部１３２ｄとを有する。曲線部１３２ｃは、凹部１３２ａの−Ｚ方向側の端部に位置する。曲線部１３２ｃは円弧状である。直線部１３２ｂは、凹部１３２ａの−Ｘ方向側の端部に位置する。直線部１３２ｂは、曲線部１３２ｃから＋Ｚ方向に平行に延びる。傾斜部１３２ｄは、凹部１３２ａの＋Ｘ方向側の端部に位置する。傾斜部１３２ｄは、曲線部１３２ｃから＋Ｘ方向かつ＋Ｚ方向に斜めに延びる。
【００６８】
アーム１２０の直線部１２０ａには、回動規制部１２０ｄが設けられる。回動規制部１２０ｄは、＋Ｘ方向かつ＋Ｚ方向に延びる側部を有する。また、アーム１２０の直線部１２０ｃには、アーム１２０の直線部１２０ａと同様に回動規制部１２０ｄが設けられる。
【００６９】
アーム１２０の直線部１２０ａおよび直線部１２０ｃが枠部１３０に対して回動する場合、アーム１２０とともに光源１１０も回動する。ただし、アーム１２０がある程度回動して、アーム１２０の直線部１２０ａおよび直線部１２０ｃが、枠部の凹部１３２ａの傾斜部１３２ｄに接触するとき、回動規制部１２０ｄは第１枠体１３２の上面と接触するため、それ以上の回動が抑制される。このように、アーム１２０の回動規制部１２０ｄおよび枠部１３０の傾斜部１３２ｄによって枠部１３０に対するアーム１２０の回動範囲は規制される。
【００７０】
なお、図１から図４Ｂに示した照明器具１００では、第１枠体１３２および反射部材１４０は一体的に設けられていたが、本実施形態はこれに限定されない。第１枠体１３２および反射部材１４０は異なる部材から構成されてもよい。
【００７１】
また、図１から図４Ｂに示した照明器具１００では、ボルト１３０ｂは枠部１３０の外側に配置され、ナット１３０ｃは枠部１３０の内側に配置されたが、本発明はこれに限定されない。ボルト１３０ｂは枠部１３０の内側に配置され、ナット１３０ｃは枠部１３０の外側に配置されてもよい。
【００７２】
また、図１から図４Ｂに示した照明器具１００では、ボルト１３０ｂおよびナット１３０ｃのうちのナット１３０ｃが第２枠体１３４と接触したが、本発明はこれに限定されない。ボルト１３０ｂが第２枠体１３４と接触してもよい。
【００７３】
また、図１から図４Ｂに示した照明器具１００では、ボルト１３０ｂおよびナット１３０ｃは、アーム１２０、第１枠体１３２および第２枠体１３４を固定したが、本発明はこれに限定されない。ボルト１３０ｂおよびナット１３０ｃは、アーム１２０および第１枠体１３２を固定する一方で、第１枠体１３２および第２枠体１３４を固定しなくてもよい。この場合、ボルト１３０ｂまたはナット１３０ｃが第１枠体１３２と接触することが好ましい。さらに、この場合でも、第１枠体１３２と第２枠体１３４との固定は、固定部１３０ａ以外の部材で行われることが好ましい。
【００７４】
さらに、図１から図４Ｂに示した照明器具１００では、ボルト１３０ｂは、アーム１２０の貫通孔、第１枠体１３２の貫通孔、第２枠体１３４の貫通孔を貫通したが、本発明はこれに限定されない。ボルト１３０ｂは、第１枠体１３２を貫通することなく、アーム１２０の貫通孔、第２枠体１３４の貫通孔を貫通してアーム１２０と第２枠体１３４とを直接固定してもよい。この場合も、第１枠体１３２と第２枠体１３４との固定は、固定部１３０ａ以外の部材で行われることが好ましい。
【００７５】
なお、図１から図４Ｂを参照して上述した照明器具１００では、金属を含む第２枠体１３４が樹脂を含む第１枠体１３２よりも内側に配置されたが、本発明はこれに限定されない。金属を含む第２枠体１３４が樹脂を含む第１枠体１３２よりも外側に配置されてもよい。
【００７６】
この場合も、反射部材１４０が樹脂から形成され、内側の第１枠体１３２が反射部材１４０と一体的に設けられてもよい。または、反射部材１４０が金属から形成され、外側の第２枠体１３４が反射部材１４０と一体的に設けられてもよい。あるいは、反射部材１４０は、内側の第１枠体１３２および外側の第２枠体１３４とは別部材として構成されてもよい。
【００７７】
また、金属を含む第２枠体１３４を外側に配置する場合、第２枠体１３４の外周面には、図４Ａおよび図４Ｂに示した凹部１３２ａと同様の形状の凹部を設けることが好ましい。この場合、アーム１２０を外側の第２枠体１３４の外周面に取り付けることにより、アーム１２０の回動範囲を規制できる。
【００７８】
以上の説明から理解されるように、第１枠体１３２は、第２枠体１３４の外側に配置されて固定部１３０ａのボルト１３０ｂまたはナット１３０ｃと接触してもよく、第２枠体１３４は、第１枠体１３２の内側に配置されて固定部１３０ａのナット１３０ｃまたはボルト１３０ｂと接触してもよい。あるいは、第１枠体１３２は、第２枠体１３４の内側に配置されて固定部１３０ａのボルト１３０ｂまたはナット１３０ｃと接触してもよく、第２枠体１３４は、第１枠体１３２の外側に配置されて固定部１３０ａのナット１３０ｃまたはボルト１３０ｂと接触してもよい。
【００７９】
なお、図１から図４Ｂに示した照明器具１００では、アーム１２０は、枠部１３０の外周面に固定されたが、本発明はこれに限定されない。アーム１２０は、枠部１３０の内周面に固定されてもよい。
【００８０】
典型的には、照明器具１００は、取付位置の取付穴に取り付けられる。例えば、照明器具１００は、天井の取付穴に取り付けられてもよい。あるいは、照明器具１００は、側壁の取付穴に取り付けられてもよい。なお、図１から図４Ｂに示した照明器具１００は、照明器具１００を取り付けるための取付具を備えなかったが、照明器具１００は取付具を備えることが好ましい。
【００８１】
次に、図５および図７Ｂを参照して、本実施形態の照明器具１００を説明する。本実施形態の照明器具１００は、取付具１６０および電源接続部１７０をさらに備える点を除いて、図１から図４Ｂを参照して上述した照明器具１００と同様の構成を有している。このため、冗長な説明を避ける目的で重複する記載を省略する。
【００８２】
図５は、本実施形態の照明器具１００の模式的な断面図である。図６Ａおよび図６Ｂは、本実施形態の照明器具１００の模式的な斜視図である。図６Ａは、照明器具１００を斜め下方から視た斜視図であり、図６Ｂは、照明器具１００を斜め上方から視た斜視図である。
【００８３】
照明器具１００は、光源１１０、枠部１３０、反射部材１４０およびカバー部材１５０に加えて取付具１６０および電源接続部１７０をさらに備える。取付具１６０により、照明器具１００は、取付位置の取付穴に埋め込んで取り付けられる。電源接続部１７０により、照明器具１００は、取付穴の内部にある電源と接続できる。取付具１６０は、枠部１３０の外周面に取り付けられる。
【００８４】
取付具１６０は、筒部１６０ａと、取付バネ１６０ｂと、取付バネ１６０ｃとを含む。取付バネ１６０ｂおよび取付バネ１６０ｃは、筒部１６０ａの外周面に取り付けられる。
【００８５】
筒部１６０ａには貫通孔が設けられる。筒部１６０ａの貫通孔の中心は、光源１１０の光軸ＬＡと平行である。筒部１６０ａは、貫通孔の設けられた略筒形状である。例えば、筒部１６０ａは略円筒形状である。なお、筒部１６０ａの内径は、光源１１０の外径、アーム１２０の外径、枠部１３０の外径、および、反射部材１４０の外径よりも大きい。
【００８６】
取付バネ１６０ｂおよび取付バネ１６０ｃは、ステンレス素材等の板状金属部材の中途部を複数箇所屈曲および湾曲させて形成された板バネである。ここでは、取付バネ１６０ｂおよび取付バネ１６０ｃは、４か所で折り曲げられた板バネである。
【００８７】
取付バネ１６０ｂおよび取付バネ１６０ｃは、筒部１６０ａの外周面に配置される。例えば、取付バネ１６０ｂおよび取付バネ１６０ｃは、筒部１６０ａの外周面に略均等に配置される。
【００８８】
取付バネ１６０ｂおよび取付バネ１６０ｃの基端部は筒部１６０ａの外周面に当接してネジにより固定され、取付バネ１６０ｂおよび取付バネ１６０ｃの自由端部は筒部１６０ａの側方に延出される。照明器具１００を取付位置に設置する場合、取付バネ１６０ｂおよび取付バネ１６０ｃは、広がろうとする弾性力によって筒部１６０ａおよび取付穴の周縁を押圧することで、照明器具１００は取付位置に固定される。
【００８９】
電源接続部１７０は、電源線と接続する。電源接続部１７０は、アーム１７２と、接続端子１７４とを含む。アーム１７２は、筒部１６０ａの外周面に取り付けられる。例えば、アーム１７２は、光軸を基準として筒部１６０ａの外周面のうちの取付バネ１６０ｂおよび取付バネ１６０ｃとは９０°離れた位置に配置される。接続端子１７４は、アーム１７２の端部に取り付けられる。
【００９０】
筒部１６０ａには、取付バネ１６５が設けられる。取付バネ１６５には枠部１３０が装着される。例えば、取付バネ１６５は、筒部１６０ａに略均等に配置される。取付バネ１６５は、筒部１６０ａの対応する切り欠きに配置される。取付バネ１６５は、ステンレス素材等の板状金属部材の中途部を複数箇所屈曲および湾曲させて形成された板バネである。取付バネ１６５の基端部は筒部１６０ａの下方側に当接してネジにより固定され、取付バネ１６５の自由端部は筒部１６０ａの上方側に延出する。
【００９１】
図７Ａおよび図７Ｂは、本実施形態の照明器具１００の模式的な分解斜視図である。図７Ａは、照明器具１００を斜め下方から視た分解斜視図であり、図７Ｂは、照明器具１００を斜め上方から視た分解斜視図である。
【００９２】
照明器具１００は、例えば、以下のように作製される。まず、光源１１０、アーム１２０、枠部１３０、反射部材１４０およびカバー部材１５０を組み立てる。次に、取付具１６０の貫通孔に、組立物を挿入する。枠部１３０が取付具１６０の貫通孔を通過する場合、取付バネ１６５は、枠部１３０に装着され、枠部１３０を固定する。以上のようにして、照明器具１００は作製される。
【００９３】
以上、図１から図７Ｂを参照して本発明の実施形態を説明した。ただし、本発明は、上記の実施形態に限られるものではなく、その要旨を逸脱しない範囲で種々の態様において実施形態として実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果を実質的に逸脱しない範囲で種々の変更が可能である。
【００９４】
例えば、図１から図７Ｂに示した照明器具１００では、光源１１０は、枠部１３０の上方に配置されていたが、本発明はこれに限定されない。光源１１０および枠部１３０は、光源１１０の少なくとも一部の側方が枠部１３０によって囲まれるように配置されてもよい。
【産業上の利用可能性】
【００９５】
本発明は、照明器具の分野に有用である。
【符号の説明】
【００９６】
１００    照明器具
１１０    光源
１２０    アーム
１３０    枠部
１３２    第１枠体
１３４    第２枠体
【図１】
2019192572.tif 000003
【図２Ａ】
2019192572.tif 000004
【図２Ｂ】
2019192572.tif 000005
【図３】
2019192572.tif 000006
【図４Ａ】
2019192572.tif 000007
【図４Ｂ】
2019192572.tif 000008
【図５】
2019192572.tif 000009
【図６Ａ】
2019192572.tif 000010
【図６Ｂ】
2019192572.tif 000011
【図７Ａ】
2019192572.tif 000012
【図７Ｂ】
2019192572.tif 000013